【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数種類の識別情報を可変表示可能な可変表示装置を有し、該可変表示装置の表示結果が予め定められた特定の識別情報の組合わせとなった場合に遊技者にとって有利な特定遊技状態に制御可能となる遊技機であって、
特定遊技状態決定用の乱数値に基づいて前記可変表示装置の表示結果を前記特定の識別情報の組合わせとするか否かを決定する表示結果決定手段と、
前記可変表示装置において前記複数種類の識別情報を可変開始させた後、段階的に前記識別情報を導出表示させることにより、前記表示結果決定手段の決定に従って前記可変表示装置の表示結果を導出表示させるための表示制御を行なう可変表示制御手段と、
前記可変表示装置の表示結果が前記特定の識別情報の組合わせとなることを予告するために用いる複数種類の第１特別情報および第２特別情報の中から、前記第１特別情報を表示したときには当該第１特別情報の種類に応じた期待度による予告となり、当該第１特別情報の表示に続いて前記第２特別情報を表示したときには、当該第１特別情報と前記第２特別情報との組合わせの種類に応じた期待度による予告となるように定められた前記第１特別情報と前記第２特別情報との組合わせの選択割合に従って、第１特別情報と第２特別情報とを特別情報選択用の乱数値に基づいて選択する特別情報選択手段と、
前記複数種類の識別情報の可変表示が開始された後、第１段階目の識別情報の導出表示がされる前の段階で前記特別情報選択手段が選択した前記第１特別情報を表示する制御を開始し、その後に前記第２特別情報を表示する制御を開始する特別情報表示手段とを含み、
該特別情報表示手段は、前記複数種類の第１特別情報としての複数種類の枠形状の画像のうち、いずれかを表示した後、前記複数種類の第２特別情報のうちのいずれかを表示し、
前記特別情報選択手段は、前記可変表示装置の表示結果が前記特定の識別情報の組合わせとなる第１パターンと、前記可変表示装置においてリーチ状態成立後に前記可変表示装置の表示結果が前記特定の識別情報の組合わせ以外となる第２パターンと、前記可変表示装置においてリーチ状態不成立にて前記可変表示装置の表示結果が前記特定の識別情報の組合わせ以外となる第３パターンとで、前記第１特別情報と前記第２特別情報との組合わせの選択割合を区別して前記第１特別情報と前記第２特別情報とを選択し、
前記特別情報選択手段によって選択される前記第１特別情報と前記第２特別情報とによる組合せの中には、前記第３パターンでは選択されない組合せが含まれることを特徴とする、遊技機。
【手続補正２】
【補正対象書類名】明細書
【補正対象項目名】０００１
【補正方法】変更
【補正の内容】
【０００１】
本発明は、たとえばパチンコ遊技機やコイン遊技機あるいはスロットマシン等で代表される遊技機に関し、詳しくは、複数種類の識別情報を可変表示可能な可変表示装置を有し、該可変表示装置の表示結果が予め定められた特定の識別情報の組合わせとなった場合に遊技者にとって有利な特定遊技状態に制御可能となる遊技機に関する。
【手続補正３】
【補正対象書類名】明細書
【補正対象項目名】０００２
【補正方法】変更
【補正の内容】
【０００２】
この種の遊技機において、従来から一般的に知られているものに、たとえば、複数種類の識別情報を可変表示可能な可変表示装置を有し、該可変表示装置の表示結果が予め定められた特定の識別情報の組合わせとなった場合に遊技者にとって有利な特定遊技状態に制御可能となる遊技機があった。
【手続補正４】
【補正対象書類名】明細書
【補正対象項目名】０００３
【補正方法】変更
【補正の内容】
【０００３】
しかしながら、従来のこの種の遊技機では、前記可変表示装置の表示結果を導出表示させるための可変表示制御が行なわれる場合、その表示結果が前記特定の識別情報の組合わせとなることをどの程度期待できるのかを遊技者が事前に把握することはできなかった。このため、遊技者は前記可変表示制御が行なわれる毎に常に同程度の期待感で可変表示装置を眺めがちになり、遊技の緊張感が失われる可能性があった。
【手続補正５】
【補正対象書類名】明細書
【補正対象項目名】０００４
【補正方法】変更
【補正の内容】
【０００４】
そこで、前記可変表示制御が行なわれる毎に、可変表示装置の表示結果が前記特定の識別情報の組合わせとなることを期待できる期待度等を数値で可変表示装置に表示することが考えられる。しかしながら、単に期待度等を直接表示するのみでは画一的になりがちで表示上の面白みに欠ける。
【手続補正６】
【補正対象書類名】明細書
【補正対象項目名】０００６
【補正方法】変更
【補正の内容】
【０００６】
（１）  複数種類の識別情報を可変表示可能な可変表示装置を有し、該可変表示装置の表示結果が予め定められた特定の識別情報の組合わせとなった場合に遊技者にとって有利な特定遊技状態に制御可能となる遊技機であって、
特定遊技状態決定用の乱数値に基づいて前記可変表示装置の表示結果を前記特定の識別情報の組合わせとするか否かを決定する表示結果決定手段と、
前記可変表示装置において前記複数種類の識別情報を可変開始させた後、段階的に前記識別情報を導出表示させることにより、前記表示結果決定手段の決定に従って前記可変表示装置の表示結果を導出表示させるための表示制御を行なう可変表示制御手段と、
前記可変表示装置の表示結果が前記特定の識別情報の組合わせとなることを予告するために用いる複数種類の第１特別情報および第２特別情報の中から、前記第１特別情報を表示したときには当該第１特別情報の種類に応じた期待度による予告となり、当該第１特別情報の表示に続いて前記第２特別情報を表示したときには、当該第１特別情報と前記第２特別情報との組合わせの種類に応じた期待度による予告となるように定められた前記第１特別情報と前記第２特別情報との組合わせの選択割合に従って、第１特別情報と第２特別情報とを特別情報選択用の乱数値に基づいて選択する特別情報選択手段と、
前記複数種類の識別情報の可変表示が開始された後、第１段階目の識別情報の導出表示がされる前の段階で前記特別情報選択手段が選択した前記第１特別情報を表示する制御を開始し、その後に前記第２特別情報を表示する制御を開始する特別情報表示手段とを含み、
該特別情報表示手段は、前記複数種類の第１特別情報としての複数種類の枠形状の画像のうち、いずれかを表示した後、前記複数種類の第２特別情報のうちのいずれかを表示し、
前記特別情報選択手段は、前記可変表示装置の表示結果が前記特定の識別情報の組合わせとなる第１パターンと、前記可変表示装置においてリーチ状態成立後に前記可変表示装置の表示結果が前記特定の識別情報の組合わせ以外となる第２パターンと、前記可変表示装置においてリーチ状態不成立にて前記可変表示装置の表示結果が前記特定の識別情報の組合わせ以外となる第３パターンとで、前記第１特別情報と前記第２特別情報との組合わせの選択割合を区別して前記第１特別情報と前記第２特別情報とを選択し、
前記特別情報選択手段によって選択される前記第１特別情報と前記第２特別情報とによる組合せの中には、前記第３パターンでは選択されない組合せが含まれることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
（１）  可変表示装置に表示された第１特別情報および第２特別情報に基づいて可変表示装置の表示結果を予め判断できるようになるために、遊技者はメリハリのある遊技を行なうことが可能となる。しかも、第１特別情報および第２特別情報による予告の期待値は、第１特別情報を表示したときと、当該第１特別情報の表示に続いて前記第２特別情報を表示したときの第１特別情報と第２特別情報との組合せとで異なるために、単純に確率値を表示する場合等と比較して可変表示装置の表示内容を趣向に富んだ面白みのあるものにすることができる。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】０１５７
【補正方法】変更
【補正の内容】
【０１５７】
パチンコ遊技機１により、複数種類の識別情報を可変表示可能な可変表示装置を有し、該可変表示装置の表示結果が予め定められた特定の識別情報の組合わせとなった場合に遊技者にとって有利な特定遊技状態に制御可能となり、該可変表示装置の表示結果が前記特定の識別情報の組合わせのうちの確変識別情報の組合わせとなった場合に該可変表示装置の表示結果が前記特定の識別情報の組合わせとなる確率が向上された確率変動状態にさらに制御可能となる遊技機が構成されている。可変表示装置４により、複数種類の識別情報を可変表示可能な可変表示装置が構成されている。大当りの表示結果（７７７）により、前記予め定められた特定の識別情報の組合わせが構成されている。図１１の大当り判定処理により、特定遊技状態決定用の乱数値に基づいて前記可変表示装置の表示結果を前記特定の識別情報の組合わせとするか否かを決定する表示結果決定手段が構成されている。基本回路４５および画像表示制御基板２１６により、前記可変表示装置において前記複数種類の識別情報を可変開始させた後、段階的に前記識別情報を導出表示させることにより、前記表示結果決定手段の決定に従って前記可変表示装置の表示結果を導出表示させるための表示制御を行なう可変表示制御手段が構成されている。図１３の特別情報設定処理により、前記可変表示装置の表示結果が前記特定の識別情報の組合わせとなることを予告するために用いる複数種類の第１特別情報および第２特別情報の中から、前記第１特別情報を表示したときには当該第１特別情報の種類に応じた期待度による予告となり、当該第１特別情報の表示に続いて前記第２特別情報を表示したときには、当該第１特別情報と前記第２特別情報との組合わせの種類に応じた期待度による予告となるように定められた前記第１特別情報と前記第２特別情報との組合わせの選択割合に従って、第１特別情報と第２特別情報とを特別情報選択用の乱数値に基づいて選択する特別情報選択手段が構成されている。前記特別情報選択手段は、前記可変表示装置の表示結果が前記特定の表示結果となる第１パターンと、前記可変表示装置においてリーチ状態成立後に前記可変表示装置の表示結果が前記特定の表示結果以外となる第２パターンと、前記可変表示装置においてリーチ状態不成立にて前記可変表示装置の表示結果が前記特定の表示結果以外となる第３パターンとで、前記第１特別情報と前記第２特別情報との組合わせの選択割合を区別して前記第１特別情報と前記第２特別情報とを選択する（図６）。また、前記特別情報選択手段によって選択される前記第１特別情報と前記第２特別情報とによる組合せの中には、前記第３パターンでは選択されない組合せが含まれる（図６の「判定値１ハズレ時」に対応する「Ａ＊ａ」、「Ａ＊ｂ」）。図１５に示すフローチャート、図２０（ｂ）、図２０（ｄ）、図２１、図２３により、前記複数種類の識別情報の可変表示が開始された後、第１段階目の識別情報の導出表示がされる前の段階で、前記特別情報選択手段が選択した前記第１特別情報を表示する制御を開始し、その後に前記第２特別情報を表示する制御を開始する特別情報表示手段が開示されている。該特別情報表示手段は、前記複数種類の第１特別情報としての複数種類の枠形状の画像のうち、いずれかを表示した後、前記複数種類の第２特別情報のうちのいずれかを表示する（図２０）。
【手続補正１５】
【補正対象書類名】明細書
【補正対象項目名】０１５８
【補正方法】削除
【補正の内容】